(57)【要約】【課題】  包装用紙箱として、商品のボリュームを強調して見栄えよくでき、剛性及び強度に優れて保管や搬送時の積み重ねを大きくでき、蓋体を外した状態で斜めに立てかけて陳列展示する際に商品の安定性を確保できるものを提供する。【解決手段】  矩形の底板部１０及び四周側板部１１，１２を有して上方へ開放した箱本体１と、矩形の天板部２０及び四周側板部２１，２２を有して箱本体１に外嵌する蓋体２とからなり、蓋体２の対向する一対の側板部２１，２１の両内面に、下向きの段部３，３が並行状に形成され、箱本体１の一方の対向する側板部１２，１２が他方の対向する側板部１１，１１よりも高く形成され、箱本体１に蓋体２を嵌着した状態において、箱本体１の低い両側板部１１，１１の上端縁が蓋体２の段部３に当接し、箱本体１の高い両側板部１２，１２の上端縁が蓋体２の天板部２０の内面に当接するように構成されてなる。【選択図】        図１
2006027674.tif 000002
【特許請求の範囲】
【請求項１】
矩形の底板部及び四周側板部を有して上方へ開放した箱本体と、矩形の天板部及び四周側板部を有して該箱本体に外嵌する蓋体とからなり、
蓋体の対向する一対の側板部の両内面に、下向きの段部が並行状に形成され、
箱本体の一方の対向する側板部が他方の対向する側板部よりも高く形成され、
箱本体に蓋体を嵌着した状態において、箱本体の低い両側板部の上端縁が蓋体の前記段部に当接すると共に、箱本体の高い両側板部の上端縁が蓋体の天板部の内面に当接するように構成されてなる包装用紙箱。
【請求項２】
前記蓋体における各段部の両端部と該段部を設けていない側板部の内面との間に溝部が形成され、該蓋体を箱本体に嵌着した状態で、箱本体の高い側板部の両側部が前記溝部に嵌入するように構成されてなる請求項１記載の包装用紙箱。
【請求項３】
前記箱本体及び蓋体は、それぞれ厚紙又は段ボールからなる一枚シートの折り曲げによって形成されてなる請求項１又は２に記載の包装用紙箱。
【請求項４】
前記箱本体及び蓋体の四周側板部が前記シートの折り返しによる二重壁をなすと共に、隣接する一方の側板部の二重壁間に、他方の側板部に延設された折り込み片もしくは他方の側板部との間に設けた折り込み片を挟み込むように構成されてなる請求項３記載の包装用紙箱。
【請求項５】
前記箱本体は、上下を逆にした反転状態の前記蓋体を台座として、該蓋体の両側の前記段部上に載置可能である請求項１〜３のいずれかに記載の包装用紙箱。
【発明の詳細な説明】
【技術分野】
【０００１】
この発明は、進物品等の比較的高級な商品の陳列用を兼ねる包装用紙箱に関する。
【背景技術】
【０００２】
一般的に、包装用紙箱は、商品を収容する箱本体と、この箱本体に被せる箱枠状の蓋体とから構成されるが、例えば贈答用のハムや酒類等の進物品を対象として、箱本体の四周側板部を箱内高の１／２程度に低くしたものが汎用されている。これは、箱本体を浅くすれば、蓋体を外した際に商品が箱本体よりも高く盛り上がった状態に見えるため、商品のボリュームを強調でき、陳列する際の見栄えも良くなることによる。
【０００３】
ところが、上記のように箱本体の四周側板部を単に低くした場合、蓋体を嵌着した包装状態での剛性及び強度が低下することになる。そこで、従来より、蓋体の対向する一対の側板部の両内面に下向きの段部を並行状に設け、該蓋体を箱本体に嵌着した際に箱本体の低くした側板部の上縁が該段部に当接するように構成し、包装用紙箱としての剛性及び強度を高めるようにしたものが用いられている（特許文献１，２）。
【特許文献１】実用新案登録第２５２９９４０号公報
【特許文献２】実用新案登録第３０４４４５７号公報  しかしながら、前記従来のように浅い箱本体と段部付きの蓋体を用いた包装用紙箱でも、剛性及び強度は充分とは言えず、保管や搬送において重い商品を収容した状態で箱同士を積み重ねた場合に、その重量を蓋体の両側段部で支えることになるから、重量負荷の大きい下位の箱で段部が潰れ、箱全体の変形や商品の損傷を招く恐れがあった。また、浅い箱本体では、蓋体を外した状態で斜めに立てかけて陳列展示する際、商品の安定性が悪いという難点もあった。
【発明の開示】
【発明が解決しようとする課題】
【０００４】
この発明は、上述の事情に鑑みて、包装用紙箱として、商品のボリュームを強調して見栄えよくでき、しかも剛性及び強度に優れて保管や搬送時の積み重ねを大きくできる上、蓋体を外した状態で斜めに立てかけて陳列展示する際に商品の安定性を確保できるものを提供することを目的としている。
【課題を解決するための手段】
【０００５】
上記目的を達成するために、この発明の請求項１に係る包装用紙箱は、矩形の底板部及び四周側板部を有して上方へ開放した箱本体と、矩形の天板部及び四周側板部を有して該箱本体に外嵌する蓋体とからなり、蓋体の対向する一対の側板部の両内面に、下向きの段部が並行状に形成され、箱本体の一方の対向する側板部が他方の対向する側板部よりも高く形成され、箱本体に蓋体を嵌着した状態において、箱本体の低い両側板部の上端縁が蓋体の前記段部に当接すると共に、箱本体の高い両側板部の上端縁が蓋体の天板部の内面に当接するように構成されてなる。
【０００６】
また、このような包装用紙箱において、請求項２の発明は、前記蓋体における各段部の両端部と該段部を設けていない側板部の内面との間に溝部が形成され、該蓋体を箱本体に嵌着した状態で、箱本体の高い側板部の両側部が前記溝部に嵌入するように構成されてなるものとしている。
【０００７】
更に、請求項３の発明では、前記箱本体及び蓋体は、それぞれ厚紙又は段ボールからなる一枚シートの折り曲げによって形成されてなるものとしている。そして、この請求項３の構成において、請求項４の発明は、前記箱本体及び蓋体の四周側板部が前記シートの折り返しによる二重壁をなすと共に、隣接する一方の側板部の二重壁間に、他方の側板部に延設された折り込み片もしくは他方の側板部との間に設けた折り込み片を挟み込むように構成されてなるものとしている。
【０００８】
一方、請求項５の発明では、上記請求項１〜３の包装用紙箱において、前記箱本体は、上下を逆にした反転状態の前記蓋体を台座として、該蓋体の両側の前記段部上に載置可能であるものとしている。
【発明の効果】
【０００９】
請求項１の発明に係る包装用紙箱では、箱本体が、低い両側板部の上端縁を蓋体の段部に、同じく高い両側板部の上端縁を蓋体の天板部の内面に、それぞれ当接して四周側板部の全体で蓋体を支承する構造であるため、大きな剛性及び強度を確保でき、保管や搬送時に多段に積み重ねても箱の変形やこれに伴う商品の損傷を生じにくいものとなる。しかして、箱本体は、四周側板部の一方の対向する側板部を低く、特に長手方向に沿う一対の側板部を低くできるから、蓋体を外した際の商品のボリューム感を充分に付与できると共に、蓋体を外した状態で斜めに立てかけて陳列展示する際、その上下位置に高い側板部を位置させることにより、商品の下端を下位側の広い側板部で支承でき、もって商品の安定性が向上する。
【００１０】
請求項２の発明によれば、上記の包装用紙箱において、箱本体の高い側板部の両側部が蓋体の溝部に嵌入するから、蓋体を箱本体に嵌着した状態での剛性及び強度がより向上するという利点がある。
【００１１】
請求項３の発明によれば、箱本体及び蓋体を、それぞれ厚紙又は段ボールからなる一枚シートの折り曲げによって容易に低コストで組立製作できる。
【００１２】
請求項４の発明によれば、前記一枚シートからなる箱本体及び蓋体は、それぞれ四周側板部が二重壁構造で大きな剛性を有することに加え、該二重壁の間に隣接する側板部の一方に形成又は両方にわたって形成した折り込み片が挟み込まれることにより、側板部相互が強く一体化しているため、より高強度となる。
【００１３】
請求項５の発明によれば、反転状態の前記蓋体を台座として、その上に箱本体を載置できるから、陳列展示の際に商品の位置を高くして見栄えを更に向上できる。
【発明を実施するための最良の形態】
【００１４】
以下、この発明に係る包装用紙箱の一実施形態について、図面を参照して具体的に説明する。図１は該包装用紙箱を構成する箱本体と反転状態の蓋体の斜視図、図２は箱本体に蓋体を外嵌した状態の縦断面図、図３は陳列展示状態の斜視図、図４は陳列展示状態の縦断面図、図５は箱本体に用いる打ち抜きシートの平面図、図６は蓋体に用いる打ち抜きシートの平面図、図７は箱本体の組立途上の斜視図、図８は蓋板の折畳み状態の平面図、図９は組立後の蓋板の底面図及び縦断面図を示す。
【００１５】
図１に示すように、この包装用紙箱の箱本体１は、段ボール製であり、長方形の底板部１０と、長手方向に沿う一対の側板部１１，１１と、褄側の一対の側板部１２，１２とで構成されており、側板部１１，１１の高さが側板部１２，１２の略半分に設定されている。また、蓋体２は、板紙製であり、長方形の天板部２０と、長手方向に沿う一対の側板部２１，２１と、褄側の一対の側板部２２，２２とで構成されており、側板部２１，２１の内面側の中間高さの位置には下向き（図では反転のために上向き）の段部３，３が並設され、且つ各段部３の両端と両側の側板部２２，２２の内面との間に、上下方向に沿う溝部４，４が形成されている。
【００１６】
しかして、蓋体２は箱本体１に対して適嵌状態に被さる大きさに設定されており、図２（Ａ）の長手方向の縦断面図と同（Ｂ）の幅方向の縦断面図にて示すように、箱本体１に蓋体２を外嵌した状態において、箱本体１の長手方向に沿う低い側板部１１，１１の各上端縁が蓋体２の段部３に当接すると共に、箱本体１の褄側の高い側板部１２，１２が各々左右両側を溝部４，４に嵌入して上端縁で蓋体２の天板部２０の内面に当接している。
【００１７】
このような包装用紙箱では、箱本体１が四周側板部の全体で蓋体２を支承する形になり、箱全体としての大きな剛性及び強度が得られるから、例えば贈答用のハムや酒類等の重い商品を収容した状態で保管や搬送時に多段に積み重ねても、箱の変形やこれに伴う商品の損傷が防止される。しかして、蓋体２を外せば、収容されていたハムや酒類等の商品が箱本体１の長手方向に沿う低い両側板部１１，１１を越えて上方へ膨らみ、ボリューム感たっぷりで見栄え良く視認されることになる。
【００１８】
なお、商品の陳列展示においては、図３及び図４に示すように、反転状態の蓋体２を台座として、その上に箱本体１を載置することにより、該箱本体１が蓋体２の両側の段部３，３で支承され、もって商品の展示位置が高くなるため、該商品の見栄えが更に向上する。また、この陳列展示において、箱本体１を単独もしくは上記のように蓋体２を台座に用いて斜めに立てかけた状態で陳列展示した場合、商品の下端が下位側に位置した広い側板部１２で支承されるため、商品の展示安定性が良好となる。
【００１９】
この包装用紙箱の箱本体１及び蓋体２は、図５及び図６に示す打ち抜きシート１ａ，２ａよりそれぞれ組み立てられている。なお、図５及び図６では打ち抜きシート１ａ，２ａの組立後の内面側となる面を示している。
【００２０】
図５に示す箱本体１に用いる打ち抜きシート１ａは、原材の段ボールシートを所要形状に打ち抜くと同時に折り目付けを行ったものであり、中央に長方形の底板部１０、この底板部１０の両長辺側に対称的に連設された低い側板部１１用の外側壁部１１ａ及び内側壁部１１ｂと両壁部１１ａ，１１ｂ間の帯状頂面部１１ｃ、内側壁部１１ｂの長手方向両端に連設されたロック片１４，１４、底板部１０の両短辺側に対称的に連設された高い側板部１２用の外側壁部１２ａ及び内側壁部１２ｂと両壁部１２ａ，１２ｂ間の帯状頂面部１２ｃ、外側壁部１２ｂの基部両側に連設された幅広の折り込み片１５，１５、内側壁部１２ｂの先部両側に連設された幅狭の折り込み片１６，１６を有しており、これら各部の境界が全て図示破線の折罫線となっている。そして、高い側板部１２用の内側壁部１２ｂには、その内面側に２条の両面接着テープ５ａ，５ｂが高さ方向中間位置と先端位置とに平行に貼着されると共に、先端の両側から各折り込み片１６の基部にかけて切欠部１７を設けている。
【００２１】
この打ち抜きシート１ａは、高い側板部１２用の内側壁部１２ｂを内側へ折り返し、両面接着テープ５ａ，５ｂによって外側壁部１２ａに貼着することにより、予め褄側の二重壁構造の高い側板部１２，１２を形成した状態で出荷される。なお、形成した各側板部１２においては、その左右両側に折り込み片１５，１６が重なって配置すると共に、基部内面の左右両側に切欠部１７によってシート厚み分の係止凹部１８が形成されている。
【００２２】
しかして、箱本体１を組み立てるには、図７（Ａ）（Ｂ）に示すように、褄側の高い側板部１２，１２を底板部１０に対して垂直に折り起こし、その両側の重なった折り込み片１５，１６を前方へ突出させ、次いで長手方向に沿う低い側板部１１用の外側壁部１１ａ及び内側壁部１１ｂを折り起こし、更に両壁部１１ａ，１１ｂを間に折り込み片１５，１６を挟み込みながら帯状頂面部１１ｃが頂になるように折り曲げ、最後に内側壁部１１ｂの両端の各ロック片１４を側板部１２の係止凹部１８に嵌合させる。かくして組み立てられた箱本体１は、四周側壁部１１，１１，１２，１２が二重壁構造で、且つ側板部１１，１２相互が折り込み片１５，１６の挟み込みで強く一体化し、もって剛性及び強度の大きい箱枠を構成している。
【００２３】
一方、図６に示す蓋体２に用いる打ち抜きシート２ａは、原材の板紙シートを所要形状に打ち抜くと同時に折り目付け及び切り込みを行ったものであり、中央に長方形の天板部２０、この天板部２０の両長辺側に対称的に連設された側板部２１用の外側壁部２１ａ、内側上壁部２１ｂ、段面形成部２１ｃ、内側下壁部２１ｄ、貼着フラップ部２１ｅ、天板部２０の両短辺側に対称的に連設された側板部２２用の外側壁部２２ａ、内側壁部２２ｂ、ロックフラップ部２２ｃを有している。そして、側板部２１用の外側壁部２１ａと側板部２２用の外側壁部２２ａとの間の隅角部には、それぞれ中央部が斜め方向の切り込み線２３ａにて山折りされる折り込み片２３が連設され、更に各折り込み片２３から側板部２２側へ延設する副折り込み片２４と、側板部２１用の内側上壁部２１ｂの両側に突設された副折り込み片２５とを備えており、打ち抜きシート１ａと同様に各部の境界が全て折罫線となっている。
【００２４】
この打ち抜きシート２ａの内面側には、図示のように、側板部２１用の内側上壁部２１ｂと貼着フラップ部２１ｄに２条の両面接着テープ６ａ，６ｂが平行に貼着されると共に、各折り込み片２３の切り込み線２３ａ沿いにも両面接着テープ６ｃが貼着されている。そして、出荷形態では、側板部２１用の外側壁部２１ａの内面に折り返した内側上壁部２１ｂを両面接着テープ６ａで貼着すると共に、貼着フラップ部２１ｅを天板部２０の側端縁から少し内側へ入った位置に両面接着テープ６ｂで貼着することにより、天板部２０、外側壁部２１ａ、段面形成部２１ｃ、内側下壁部２１ｄを四面として平行四辺形状に変形可能な段形成枠部３０（図１〜３、図９参照）を設けると共に、山折りにした各折り込み片２３の半部を両面接着テープ６ｃにて側板部２２用の外側壁部２２ａの内面に貼着し、両側の側板部２１形成部分を互いに内側に折り付けて、図８に示すように全体を帯板状に平坦化した折畳み状態とする。なお、図８では、隠れ線の破線と区別するために折罫線を実線で示している。
【００２５】
なお、上記箱本体１及び蓋体２の所要箇所の貼着には、両面接着テープ５ａ、５ｂ、６ａ、６ｂを用いるものとしたが、製函機を用いて大量に製造する場合は、前記接着テープの位置に接着剤が塗布されることになる。
【００２６】
しかして、蓋体２を組み立てるには、図８の折畳み状態から、まず両側の側板部２１形成部分を天板部２０に対して垂直に引き起こす。これにより、段形成枠部３０が縦断面矩形になって段部３を構成すると共に、各側板部２２用の外側壁部２２ａが半部を貼着した両側の折り込み片２３を介して起き上がるから、該側板部２２用の内側壁部２２ｂを内側へ折り返し、内外両側壁部２２ａ，２２ｂを間に折り込み片２３及び副折り込み片２４，２５を挟み込んで重ね、更に先端のロックフラップ部２２ｃの両端部を、天板部２０に貼着している貼着フラップ部２１ｅ，２１ｂの端部に係止させ、もって図９（Ａ）〜（Ｃ）で示す組立形態とすればよい。かくして組み立てられた蓋体２は、四周側壁部２１，２１，２２，２２が二重壁構造で、且つ側板部２１，２２相互が折り込み片２３〜２５の挟み込みで強く一体化しているから、剛性及び強度の大きい箱枠を構成する。
【００２７】
なお、この発明の包装用紙箱における箱本体１及び蓋体２としては、例示した実施形態とは異なる様々な組立て仕様のものを採用可能であり、この組立て仕様によって打ち抜きシートの形態も様々に異なるものとなる。しかして、箱本体１及び蓋体２は、複数枚の紙材から組み立てることも可能であるが、実施形態のように一枚シートの折り曲げによって容易に低コストで組立製作できる。また、蓋体２の対向する内面に設ける段部３，３を側板部２１の全長にわたって形成し、箱本体２の高い側板部１２を両側の段部３，３間の距離に対応した左右幅に設定してもよいが、実施形態のように段部３の両側に溝部４，４を設け、箱本体２の高い側板部１２が蓋体２の内側に弛みなく嵌合させることにより、箱全体としての剛性及び強度をより大きくできる。
【００２８】
その他、この発明の包装用紙箱においては、箱本体１及び蓋体２と共に商品の収容姿勢を安定化するための補助パッドや天パッドを用いてもよい。また、箱本体１及び蓋体２の各部の形状及び寸法、係合構造、止着構造等、細部構成については実施形態以外に種々設計変更可能である。
【図面の簡単な説明】
【００２９】
【図１】この発明の一実施形態に係る包装用紙箱を構成する箱本体と反転状態の蓋体の斜視図である。
【図２】同包装用紙箱の箱本体に蓋体を外嵌した状態を示し、（Ａ）図は長手方向の縦断側面図、（Ｂ）図は幅方向の縦断正面図である。
【図３】同包装用紙箱の陳列展示状態の斜視図である。
【図４】同陳列展示状態における幅方向の縦断正面図である。
【図５】箱本体に用いる打ち抜きシートの平面図である。
【図６】蓋体に用いる打ち抜きシートの平面図である。
【図７】箱本体の組立途上を示し、（Ａ）図は組立初期の斜視図、（Ｂ）図は組立末期の斜視図である。
【図８】蓋体の折り畳んだ出荷形態を示す平面図である。
【図９】蓋体の組立状態を示し、（Ａ）図は底面図、（Ｂ）図は（Ａ）図のＢ−Ｂ線の断面矢視図、（Ｃ）図は（Ａ）図のＣ−Ｃ線の断面矢視図である。
【符号の説明】
【００３０】
１        ・・・箱本体
１ａ      ・・・打ち抜きシート
１０      ・・・底板部
１１      ・・・低い側板部
１２      ・・・高い側板部
１５，１６・・・折り込み片
２        ・・・蓋体
２０      ・・・天板部
２１，２２・・・側板部
２３      ・・・折り込み片
２４，２５・・・副折り込み片
３        ・・・段部
４        ・・・溝部
５ａ，５ｂ・・・両面接着テープ
６ａ〜６ｃ・・・両面接着テープ
【図１】
2006027674.tif 000003
【図２】
2006027674.tif 000004
【図３】
2006027674.tif 000005
【図４】
2006027674.tif 000006
【図５】
2006027674.tif 000007
【図６】
2006027674.tif 000008
【図７】
2006027674.tif 000009
【図８】
2006027674.tif 000010
【図９】
2006027674.tif 000011